(57)【特許請求の範囲】
【請求項１】
複数の電力用半導体素子と、前記複数の電力用半導体素子を駆動するゲート駆動回路とから構成される主回路部と、
前記ゲート駆動回路に入力するゲート信号を生成するゲート信号生成回路と、前記ゲート信号生成回路で生成されたゲート信号を符号化する符号化回路と、を備えた制御回路部と、
前記符号化回路により符号化されたゲート信号を前記制御回路部から前記主回路部へ伝送する単一の信号ケーブルと、を備え、
前記ゲート駆動回路は、
前記符号化回路により符号化されたゲート信号を元のゲート信号に復元するゲート信号復元器と、
前記ゲート信号復元器より復元された上下素子のゲート信号が入力され、各相の上下素子のゲート信号の論理積の値を演算して出力する複数のＡＮＤ回路と、
前記複数のＡＮＤ回路のから出力された論理積の値の論理和を演算して出力するＯＲ回路と、
前記論理和の値が０の場合には、ゲート信号復元器が出力する復元ゲート信号をゲート信号として出力し、前記論理和の値が１の場合には、最後に正常に伝送されたゲート信号を保持するゲート信号記憶器が出力する信号をゲート信号として出力するゲート信号選択器と、を備えた電力変換器用制御装置。
【発明の詳細な説明】
【技術分野】
【０００１】
本発明の実施形態は、電力変換器用制御装置に関する。
【背景技術】
【０００２】
直流電力から交流電力へ、また逆に交流電力から直流電力への変換を行う電力変換器では、ＩＧＢＴ等の電力用半導体素子と、それを駆動するゲート駆動回路からなる主回路部と、電力変換器を目的に応じて動作させるために、ゲート駆動回路に与えるゲート信号を生成する制御回路部とを備えている。主回路部と制御回路部の間は、ゲート信号を伝送するための信号ケーブルが電力用半導体素子数分だけ必要となる。例えば、一般的な三相フルブリッジ回路の電力変換器の場合に電力用半導体素子数は６個となり、６本の信号ケーブルが必要である。電力変換器の出力電圧を高められる方式として中性点クランプ方式の３レベル主回路構成があるが、この場合には１２本の信号ケーブルが必要となる。図１１に三相フルブリッジ回路の電力変換器の一例を示す。１は電圧型インバータの三相フルブリッジ回路である。３相フルブリッジ回路１の直流側端子には整流器、電池等の直流電圧源２が接続され、交流側端子にはモータ等の３相負荷３が接続される。３相フルブリッジ回路を構成する６個の電力用半導体素子の各ゲート端子にはゲート駆動回路４が出力する６個のゲート駆動信号のうちの対応する１個が入力される。制御回路部５がＰＷＭ制御等の結果として出力する６個のゲート信号はそれぞれ専用の信号ケーブル６Ａ〜６Ｆを通してゲート駆動回路４に入力され、論理回路レベルから、電力用半導体素子を駆動できる電気回路レベルに増幅され、それぞれ対応するゲート駆動信号として出力される。
【０００３】
電力変換器の主回路部と制御回路部は、一般的に距離を置いて配置されるため、ゲート信号を伝送するための信号ケーブルの全長が大きくなる場合がある。また、主回路部と制御回路部の電気的な絶縁を保つ目的で信号ケーブルには高価な光ファイバーケーブルが用いられる場合もある。結果として、全長の大きな光ファイバーケーブルが電力用半導体素子数分だけ必要となり、電力変換器の価格を押し上げることにつながる。
【０００４】
この課題に対して、例えば、遠隔制御部からインバータ部へ送信する並列電気信号を、送信側で直列光信号に変換し、受信側では受信した直列光信号を並列電気信号に復元することで、光ファイバーケーブルを少数とする構成が開示されている。しかし、送信する並列電気信号がゲート信号である例は示されていない。また、単一の制御回路から複数の直流／交流変換部に対して、単一の信号伝送路を用いて制御信号を伝送する方式では、伝送する制御信号がゲート信号である例が示されているが、ゲート信号をどのようにして単一の信号伝送路で伝送するかの詳細については開示されていない。また、ゲート信号を符号化して送信するとともに、電力用半導体素子をそれぞれターンオンさせる全てのタイミングを合成したタイミング信号を送信し、受信側でゲート信号を再生する方式では、ゲート信号の伝送に必要な信号ケーブルの本数を電力半導体素子数よりは減少できるが、符号化信号とタイミング信号の合計２本の信号ケーブルが必要となる。また、ゲート信号を任意のタイミング信号に従って符号化するとともに、クロック信号を重畳して１本の信号ケーブルで送信する構成が開示されている。
【先行技術文献】
【特許文献】
【０００５】
【特許文献１】特開平１−２２７５９６号公報
【特許文献２】特開平６−１６５５１５号公報
【特許文献３】特開平０９−３０８２４９号公報
【特許文献４】特開平１１−１７８３４９号公報
【発明の概要】
【発明が解決しようとする課題】
【０００６】
しかしながら従来の電力変換装置の方式では、１本の信号ケーブルでゲート信号を伝送することは可能であるが、伝送されるゲート信号が、伝送路のノイズ等により異常なゲート信号に変化した場合に、どのようにゲート信号の異常を検出するかについては開示されていない。ゲート信号の異常は、電力変換器としての性能を劣化させるだけでなく、電力変換器の故障につながる恐れがある。
【０００７】
本発明が解決しようとする課題は、制御回路部から主回路部へ単一の信号ケーブルでゲート信号を伝送する電力変換器の制御装置において、伝送されるゲート信号の異常を検出することが可能な電力変換器用の制御装置を提供することにある。
【課題を解決するための手段】
【０００８】
実施形態の電力変換器用制御装置は、複数の電力用半導体素子と、前記複数の電力用半導体素子を駆動するゲート駆動回路とから構成される主回路部と、前記ゲート駆動回路に入力するゲート信号を生成するゲート信号生成回路と、前記ゲート信号生成回路で生成されたゲート信号を符号化する符号化回路と、を備えた制御回路部と、前記符号化回路により符号化されたゲート信号を前記制御回路部から前記主回路部へ伝送する単一の信号ケーブルと、を備える。前記ゲート駆動回路は、前記符号化回路により符号化されたゲート信号を元のゲート信号に復元するゲート信号復元器と、前記ゲート信号復元器より復元された上下素子のゲート信号が入力され、各相の上下素子のゲート信号の論理積の値を演算して出力する複数のＡＮＤ回路と、前記複数のＡＮＤ回路のから出力された論理積の値の論理和を演算して出力するＯＲ回路と、前記論理和の値が０の場合には、ゲート信号復元器が出力する復元ゲート信号をゲート信号として出力し、前記論理和の値が１の場合には、最後に正常に伝送されたゲート信号を保持するゲート信号記憶器が出力する信号をゲート信号として出力するゲート信号選択器と、を備える。
【図面の簡単な説明】
【０００９】
【図１】第１の実施形態の電力変換器の制御装置示す説明図。
【図２】第１の実施形態の制御回路部の説明図。
【図３】第１の実施形態の電力変換器のゲート駆動回路の説明図。
【図４】第１の実施形態の電力変換器の制御装置のタイミングチャート。
【図５】第１の実施形態の電力変換器のゲート信号復元回路の説明図
【図６】第２の実施形態の電力変換器の制御装置を示す説明図。
【図７】第３の実施形態の電力変換器の制御装置を示す説明図。
【図８】第３の実施形態の電力変換器のゲート信号異常検出器の説明図。
【図９】第４の実施形態の電力変換器の制御装置示す説明図。
【図１０】第５の実施形態の電力変換器の制御装置示す説明図。
【図１１】従来の電力変換器の構成を示す説明図。
【発明を実施するための形態】
【００１０】
以下、実施形態の（発明の名称のカテゴリ）を図面を参照して説明する。
【００１１】
（第１の実施形態）
第１の実施形態について図１乃至図５を参照し、詳細に説明する。図１において、制御回路部５がＰＷＭ制御等の結果として出力するゲート信号は出力段で符号化される。符号化されたゲート信号は単一の信号ケーブル６を通して符号伝送される。単一の信号ケーブル６を通して符号伝送されたゲート信号はゲート駆動回路４に入力される。ゲート駆動回路４では入力段で符号化されたゲート信号から６個のゲート信号を復元する。復元された６個のゲート信号は論理回路レベルから、電力用半導体素子を駆動できる電気回路レベルに増幅され、それぞれ対応する電力用半導体素子のゲート駆動信号として出力される。
【００１２】
図２は制御回路部５の機能ブロック図を示したものである。ゲート信号生成回路８ではある一定の周期毎にゲート信号ＳＵ、ＳＸ、ＳＶ、ＳＹ、ＳＷ、ＳＺを生成する。ゲート信号の生成は三角波キャリア比較ＰＷＭ制御方式等によって行われるが、ある一定周期毎に１組のゲート信号ＳＵ、ＳＸ、ＳＶ、ＳＹ、ＳＷ、ＳＺを生成するものであればその手法は限定しない。生成されたゲート信号は、符号化回路９によってゲート生成周期毎に符号化ゲート信号に変換される。ゲート信号は対応する電力用半導体素子のオンかオフの状態を決めるものであり、それぞれオン状態が１、オフ状態が０の２値として表すことが可能である。したがって、ある周期における１組のゲート信号の状態が以下の場合、ＳＵ＝１、ＳＸ＝０、ＳＶ＝１、ＳＹ＝０、ＳＷ＝０、ＳＺ＝１というような符号化ゲート信号として、以下の２進数に変換することができる。
【００１３】
「１０１００１」は、２値ゲート信号をＳＵ、ＳＸ、ＳＶ、ＳＹ、ＳＷ、ＳＺの順番に並べて６ビットで符号化した一例であるが、誤り訂正符号等を付加することも可能である。符号化の方式は、ゲート生成周期毎に符号化ゲート信号を生成するものであればその手法は限定しない。生成された符号化ゲート信号は、符号伝送送信回路１０によってあるゲート生成周期毎に符号伝送信号に変換され、信号ケーブル６を通してゲート駆動回路４に送信される。符号伝送の方式は、非同期伝送、同期伝送等があげられるが、ゲート生成周期毎に符号化ゲート信号を符号伝送信号に変換するものであれば、その手法は限定しない。以上より、制御回路部５はある一定周期毎にゲート信号を生成し、符号伝送信号としてゲート駆動回路４に送信することが可能となる。
【００１４】
図３はゲート駆動回路４の機能ブロック図を示したものである。信号ケーブル６を通してゲート生成周期毎に制御回路部５から送信される符号伝送信号は、符号伝送受信回路１１で送信側に対応する符号伝送方式に従ってゲート生成周期毎に符号化ゲート信号に変換される。符号化ゲート信号はゲート信号復元回路１２によって、制御回路部５の符号化方式に対応してゲート生成周期毎にゲート信号ＳＵ、ＳＸ、ＳＶ、ＳＹ、ＳＷ、ＳＺに復元される。復元されたゲート信号ＳＵ、ＳＸ、ＳＶ、ＳＹ、ＳＷ、ＳＺは、ゲート駆動信号増幅回路１３によってゲート駆動信号に増幅され、対応する電力用半導体素子を駆動する。
【００１５】
図４にゲート信号伝送のタイミングチャートを示す。図４より、ゲート生成周期Ｔ毎にゲート駆動信号が更新されることがわかる。ゲート信号の生成から、ゲート駆動信号の更新まで、最短でもゲート生成周期Ｔだけの遅れ時間が生じるが、ゲート生成周期Ｔを適切に設計することにより、電力変換器の性能には影響を与えない。しかし、復元されたゲート信号に何らかの伝送異常がある場合には、電力変換器としての性能を劣化させるだけでなく、最悪の場合電力変換器の故障につながる恐れがある。そのため前記ゲート信号復元回路では、復元されたゲート信号について伝送異常が無いかどうかの判定を行い、正常であれば、今回復元したゲート信号をそのまま出力し、異常があった場合には最後に正常に伝送されたゲート信号を出力する。
【００１６】
図５にゲート信号復元回路の動作を説明するための図を示す。符号化ゲート信号はゲート信号復元器１４によって、ゲート信号ＧＵ、ＧＸ、ＧＶ、ＧＹ、ＧＷ、ＧＺに復元される。復元されたゲート信号はゲート信号異常検出器１５によって、正常／異常の判定が行われ、正常の場合には０、異常の場合には１が出力される。ゲート信号異常検出器が出力する信号は、選択信号ＳＥＬとしてゲート信号選択器１７に入力される。ゲート信号選択器１７では、選択信号ＳＥＬが０の場合には、ゲート信号復元器１４が出力する復元ゲート信号ＧＵ、ＧＸ、ＧＶ、ＧＹ、ＧＷ、ＧＺを、ゲート信号ＳＵ、ＳＸ、ＳＶ、ＳＹ、ＳＷ、ＳＺとして出力する。選択信号ＳＥＬが１の場合には、ゲート信号記憶器１６が出力するＧＵｏｌｄ、ＧＸｏｌｄ、ＧＶｏｌｄ、ＧＹｏｌｄ、ＧＷｏｌｄ、ＧＺｏｌｄを、ゲート信号ＳＵ、ＳＸ、ＳＶ、ＳＹ、ＳＷ、ＳＺとして出力する。ゲート信号記憶器１６は、ゲート信号選択器１７が出力するゲート信号を記憶しており、最後に正常に伝送されたゲート信号を保持している。結果として、ゲート信号復元回路１２は、今回復元されたゲート信号が正常であった場合には、出力するゲート信号を更新し、異常であった場合には、前回のゲート信号を保持する動作を行う。
【００１７】
（効果）
以上の本実施形態によれば、制御回路部がある一定周期毎に生成するゲート信号を符号化し、単一の信号ケーブルにより主回路部に伝送し、元のゲート信号を復元する際に、ゲート信号の伝送異常を検出することが可能となる。ゲート信号に伝送異常があった場合には、最後に正常に伝送されたゲート信号で電力用半導体素子を駆動する。結果として、信頼性の高い電力変換器の制御装置を実現できる。
【００１８】
（作用）
（効果）
以上述べた少なくともひとつの実施形態の（発明の名称のカテゴリ）によれば、（実施形態に共通な特徴）により、（ニーズや課題に対応）することが可能となる。
【００１９】
（第２の実施形態）
第２の実施形態について図６を参照し、詳細に説明する。尚、図１乃至５と同一の構成をとるものについては、同符号を付して説明を省略する。
【００２０】
図６に示すように、復元ゲート信号ＧＵ、ＧＸ、ＧＶ、ＧＹ、ＧＷ、ＧＺは、それぞれ、（ＧＵ、ＧＸ）、（ＧＶ、ＧＹ）、（ＧＷ、ＧＺ）の組み合わせでＡＮＤ回路１８に入力され、論理積演算が行われる。各復元ゲート信号は０で対応する電力用半導体素子がオフ、１でオンを表す。各復元ゲート信号と電力用半導体素子の関係は、図１の３相フルブリッジ回路１の電力用半導体素子ＳＵ、ＳＸ、ＳＶ、ＳＹ、ＳＷ、ＳＺがそれぞれ復元ゲート信号ＧＵ、ＧＸ、ＧＶ、ＧＹ、ＧＷ、ＧＺに対応する。したがって、各ＡＮＤ回路の入力に相当する組み合わせ（ＧＵ、ＧＸ）、（ＧＶ、ＧＹ）、（ＧＷ、ＧＺ）は、それぞれ各相の上下素子の組み合わせとなる。したがって、各ＡＮＤ回路の出力が１となる場合は、上下素子がどちらもオンとなることに相当する。３相フルブリッジ回路においては、上下素子がどちらもオンとなる状態は、直流電圧源２を電力用半導体素子で短絡することになり、電力用半導体素子の故障を起こす可能性のある異常なゲート信号であることを意味する。各ＡＮＤ回路の出力はＯＲ回路１９に入力され、論理和演算が行われる。各ＡＮＤ回路のいずれか一つでも１であった場合、つまり異常なゲート信号となっている場合には、ＯＲ回路の出力は１となる。ＯＲ回路の出力は選択信号ＳＥＬとして出力される。したがって、選択信号ＳＥＬが０のときゲート信号は正常、１のとき異常を表している。なお、ここでは電圧形３相フルブリッジ回路の例を示したが、電力変換回路の方式に応じて、故障を起こす可能性のあるゲート信号を検出する論理演算回路は異なる。
【００２１】
（効果）
本実施形態によれば、制御回路部がある一定周期毎に生成するゲート信号を符号化し、単一の信号ケーブルにより主回路部に伝送し、元のゲート信号を復元する際に、復元されたゲート信号により電力用半導体素子を駆動すると、電力用半導体素子の故障を起こすことが予想される場合には、復元されたゲート信号に伝送異常があったと判定することが可能となる。結果として、信頼性の高い電力変換器の制御装置を実現できる。
【００２２】
（第３の実施形態）
第３の実施形態について図を参照し、詳細に説明する。尚、図１乃至７と同一の構成をとるものについては、同符号を付して説明を省略する。
【００２３】
図７に示すように、ゲート信号復元器１４が出力する復元ゲート信号ＧＵ、ＧＸ、ＧＶ、ＧＹ、ＧＷ、ＧＺおよびゲート信号記憶器１６が出力する前回のゲート信号ＧＵｏｌｄ、ＧＸｏｌｄ、ＧＶｏｌｄ、ＧＹｏｌｄ、ＧＷｏｌｄ、ＧＺｏｌｄはゲート信号異常検出器１５に入力される。ゲート信号異常検出器１５では復元ゲート信号ＧＵ、ＧＸ、ＧＶ、ＧＹ、ＧＷ、ＧＺおよび前回のゲート信号ＧＵｏｌｄ、ＧＸｏｌｄ、ＧＶｏｌｄ、ＧＹｏｌｄ、ＧＷｏｌｄ、ＧＺｏｌｄにより、復元ゲート信号について正常／異常の判定を行い、正常の場合には０、異常の場合には１を出力する。
【００２４】
図８に示すように、ゲート信号異常検出器の構成の一例を示す。ゲート信号予測器２０は、前回のゲート信号ＧＵｏｌｄ、ＧＸｏｌｄ、ＧＶｏｌｄ、ＧＹｏｌｄ、ＧＷｏｌｄ、ＧＺｏｌｄを元に、次回に出力される可能性のあるゲート信号の候補、Ｇｓｅｔ１、Ｇｓｅｔ２、Ｇｓｅｔ３、Ｇｓｅｔ４、Ｇｓｅｔ５、Ｇｓｅｔ６を出力する。なお、Ｇｓｅｔ１、Ｇｓｅｔ２、Ｇｓｅｔ３、Ｇｓｅｔ４、Ｇｓｅｔ５、Ｇｓｅｔ６は、それぞれＳＵ、ＳＸ、ＳＶ、ＳＹ、ＳＷ、ＳＺに対応する６個のゲート信号の組である。ここでは一例として、候補ゲート信号の数を６組としたが、前回のゲート信号により、候補ゲート信号の数は異なる。得られた候補ゲート信号は、ゲート信号比較器２１に入力され、復元ゲート信号ＧＵ、ＧＸ、ＧＶ、ＧＹ、ＧＷ、ＧＺとそれぞれ比較される。候補ゲート信号の中に、復元ゲート信号と一致するものが一つでも有った場合には、復元ゲート信号は想定内の変化をしているものと判断されるため、選択信号ＳＥＬとして正常を表す０が出力される。一方、候補ゲート信号の中に、復元ゲート信号と一致するものが一つも無かった場合には、復元ゲート信号は想定外の変化をしているものと判断されるため、選択信号ＳＥＬとして異常を表す１が出力される。
【００２５】
（効果）
本実施形態によれば、制御回路部がある一定周期毎に生成するゲート信号を符号化し、単一の信号ケーブルにより主回路部に伝送し、元のゲート信号を復元する際に、復元されたゲート信号が、前回伝送されたゲート信号と比較して想定外の変化をしている場合には、復元されたゲート信号に伝送異常があったと判定することが可能となる。結果として、信頼性の高い電力変換器の制御装置を実現できる。
【００２６】
（効果）
（第４の実施形態）
第４の実施形態について図を参照し、詳細に説明する。尚、図１乃至８と同一の構成をとるものについては、同符号を付して説明を省略する。
【００２７】
図９に示すように、ゲート変化検出器２２は、前回のゲート信号ＧＵｏｌｄ、ＧＸｏｌｄ、ＧＶｏｌｄ、ＧＹｏｌｄ、ＧＷｏｌｄ、ＧＺｏｌｄが変化したことを検出し、リセット信号ＲＳＴを出力する。リセット信号は変化が検出された時のみ１を出力する。リセット信号ＲＳＴは、計時回路２３に入力される。計時回路２３はリセット信号ＲＳＴが１の時、時間を計測しているカウンタＴｃｎｔを０にリセットする。リセット信号が０の時には、時間を計測するためのカウンタ動作を行う。計時回路２３の出力Ｔｃｎｔは、比較回路２５により、最小持続時間設定器２４が出力するゲート信号の最小持続時間設定値Ｔｍｉｎと比較される。比較回路２５の出力ＣＭＰは、Ｔｃｎｔ＞Ｔｍｉｎの時にＣＭＰ＝０となり、Ｔｃｎｔ＜Ｔｍｉｎの時にＣＭＰ＝１となる。不一致検出器２７は、復元ゲート信号ＧＵ、ＧＸ、ＧＶ、ＧＹ、ＧＷ、ＧＺと、前回のゲート信号ＧＵｏｌｄ、ＧＸｏｌｄ、ＧＶｏｌｄ、ＧＹｏｌｄ、ＧＷｏｌｄ、ＧＺｏｌｄを比較し、ラッチ信号ＲＣＨを出力する。ラッチ信号ＲＣＨは、復元ゲート信号と前回ゲート信号が不一致の時にＲＣＨ＝１となり、復元ゲート信号と前回ゲート信号が一致する時にＲＣＨ＝０となる。ラッチ回路２６はラッチ信号ＲＣＨにより、ＲＣＨ＝１の時に、ＣＭＰをラッチ（保持）する動作を行う。ラッチ回路２６の出力は選択信号ＳＥＬとして出力される。結果として、復元ゲート信号が前回のゲート信号から変化した時に、前回のゲート信号の持続時間Ｔｃｎｔが、最小持続時間Ｔｍｉｎよりも小さい場合には、選択信号ＳＥＬ＝１となり、復元ゲート信号は異常と判定される。一方、前回のゲート信号の持続時間Ｔｃｎｔが、最小持続時間Ｔｍｉｎよりも大きい場合には、選択信号ＳＥＬ＝０となり、復元ゲート信号は正常と判定される。
【００２８】
（効果）
本実施形態によれば、制御回路部がある一定周期毎に生成するゲート信号を符号化し、単一の信号ケーブルにより主回路部に伝送し、元のゲート信号を復元する際に、復元されたゲート信号が、前回伝送されたゲート信号の最小持続時間を満たしていない場合には、復元されたゲート信号に伝送異常があったと判定することが可能となる。結果として、信頼性の高い電力変換器の制御装置を実現できる。
【００２９】
（第５の実施形態）
第５の実施形態について図を参照し、詳細に説明する。尚、図１乃至９と同一の構成をとるものについては、同符号を付して説明を省略する。
【００３０】
図１０に示すように、伝送故障判定回路２８は、ゲート信号異常検出器１５が出力する選択信号ＳＥＬより、ゲート信号の伝送経路上に故障があるかどうかの判定を行う。故障があるかどうかの判定は、選択信号ＳＥＬ＝１がある一定時間以上継続する場合や、ある期間内に一定時間以上ＳＥＬ＝１となっている場合等、電力変換器の仕様に合わせて設計することができる。故障があると判定される場合には、伝送故障判定回路２８の出力ＦＬＴ＝１となり、正常と判定される場合にはＦＬＴ＝０が出力される。
【００３１】
（効果）本実施形態によれば、制御回路部がある一定周期毎に生成するゲート信号を符号化し、単一の信号ケーブルにより主回路部に伝送し、元のゲート信号を復元する際に、ゲート信号の伝送異常を検出し、伝送経路上に故障があるかどうかを判定することが可能となる。結果として、信頼性の高い電力変換器の制御装置を実現できる。
以下に、本願の出願当初の特許請求の範囲の記載を付記する。
[Ｃ１]
複数の電力用半導体素子と、前記複数の電力用半導体素子を駆動するゲート駆動回路とから構成される主回路部と、
前記ゲート駆動回路に入力するゲート信号を生成する制御回路部と、
前記制御回路部で生成されたゲート信号を符号化する符号化回路と、
前記符号化回路により符号化されたゲート信号を前記制御回路部から前記主回路部へ伝送する単一の信号ケーブルと、
前記符号化回路により符号化されたゲート信号を元のゲート信号に復元するゲート信号復元回路と、
前記ゲート信号復元回路より復元されたゲート信号に伝送異常があった場合には、最後に正常に伝送されたゲート信号で電力用半導体素子を駆動する電力変換器用制御装置
[Ｃ２]
ゲート信号復元回路により復元されたゲート信号により電力用半導体素子を駆動すると、前記電力用半導体素子の故障を起こすことが予想される場合には、前記復元されたゲート信号に伝送異常があったと判定する[Ｃ１]記載の電力変換器用制御装置。
[Ｃ３]
ゲート信号復元回路により復元されたゲート信号と、前記復元されたゲート信号の前に伝送されたゲート信号を比較し、予め設定される許容値以上の変化がある場合には、前記復元されたゲート信号に伝送異常があったと判定する[Ｃ１]記載の電力変換器用制御装置。
[Ｃ４]
ゲート信号復元回路により復元されたゲート信号が、前記復元されたゲート信号の前に伝送されたゲート信号の最小持続時間を満たしていない場合には、前記復元されたゲート信号に伝送異常があったと判定する[Ｃ１]記載の電力変換器用制御装置。
[Ｃ５]
ゲート信号の伝送異常を検出し、伝送経路上に故障があるかどうかを判定する手段を具備する[Ｃ１]乃至[Ｃ４]の少なくともいずれか１項記載の電力変換器用制御装置。
【符号の説明】
【００３２】
１、１Ｕ、１Ｖ、１Ｗ・・・３相フルブリッジ回路
２・・・直流電圧源
３・・・３相負荷
４・・・ゲート駆動回路
５・・・制御回路部
６、６Ａ、６Ｂ、６Ｃ、６Ｄ、６Ｅ、６Ｆ・・・信号ケーブル
８・・・ゲート信号生成回路
９・・・符号化回路
１０・・・符号伝送送信回路
１１・・・符号伝送受信回路
１２・・・ゲート信号復元回路
１３・・・ゲート駆動信号増幅回路
１４・・・ゲート信号復元器
１５・・・ゲート信号異常検出器
１６・・・ゲート信号記憶器
１７・・・ゲート信号選択器
１８・・・ＡＮＤ回路
１９・・・ＯＲ回路
２０・・・ゲート信号予測器
２１・・・ゲート信号比較器
２２・・・ゲート変化検出器
２３・・・計時回路
２４・・・最小持続時間設定器
２５・・・比較回路
２６・・・ラッチ回路
２７・・・不一致検出器
２８・・・伝送故障判定回路
【図１】
0005726476.tif 000002
【図２】
0005726476.tif 000003
【図３】
0005726476.tif 000004
【図４】
0005726476.tif 000005
【図５】
0005726476.tif 000006
【図６】
0005726476.tif 000007
【図７】
0005726476.tif 000008
【図８】
0005726476.tif 000009
【図９】
0005726476.tif 000010
【図１０】
0005726476.tif 000011
【図１１】
0005726476.tif 000012